(57)【要約】【課題】主に、スイッチノブに対する照明範囲を拡大し得るようにする。【解決手段】内奥部に光源１０１およびスイッチ接点部１０２を有する角筒状のケース１０３と、ケース１０３の手前側の開口部１０４を覆う透過照明が可能なスイッチノブ１０６と、ケース１０３の内部に配設されたスライド部材１０７と、を有するスイッチ装置１００に関する。  スライド部材１０７は、スイッチノブ１０６から分離されると共に、ケース１０３の一側面１１１に沿って延びる本体部１３１と、本体部１３１の奥部に位置してスイッチ接点部１０２を押すスイッチ押圧部１３２と、本体部１３１の手前側に位置してスイッチノブ１０６によって押込まれるノブ当接部１３３とを有する。  ノブ当接部１３３が、スイッチ押圧部１３２に対して、ケース１０３の一側面１１１寄りにオフセットされている。【選択図】図１
2020021534.tif 000002
【特許請求の範囲】
【請求項１】
内奥部に光源およびスイッチ接点部を有する角筒状のケースと、
該ケースの手前側の開口部を覆うように設置されて、前記ケースの軸線方向への移動および透過照明が可能なスイッチノブと、
前記ケースの内部に配設されて、前記スイッチノブの前記軸線方向への移動によって前記スイッチ接点部を押すスライド部材と、を有するスイッチ装置であって、
前記スライド部材は、前記スイッチノブから分離されると共に、前記ケースの一側面に沿って延びる本体部と、該本体部の奥部に位置して前記スイッチ接点部を押すスイッチ押圧部と、前記本体部の手前側に位置して前記スイッチノブによって押込まれるノブ当接部とを有し、
該ノブ当接部が、前記スイッチ押圧部に対して、前記ケースの前記一側面寄りにオフセットされていることを特徴とするスイッチ装置。
【請求項２】
請求項１に記載のスイッチ装置において、
前記ケースと、前記スライド部材との間に、該スライド部材の前記軸線方向への移動を案内するガイド部が設けられると共に、
該ガイド部は、前記本体部の手前側の部分を案内する第一ガイドと、前記本体部を案内する第二ガイドと、を有していることを特徴とするスイッチ装置。
【請求項３】
請求項２に記載のスイッチ装置において、
前記ガイド部が、前記ケースの前記一側面と前記スライド部材の対向面との間に第三ガイドを有していることを特徴とするスイッチ装置。
【請求項４】
請求項１ないし請求項３のいずれか１項に記載のスイッチ装置において、
前記スライド部材は、前記本体部と前記スイッチ押圧部との間に補強リブを有し、該補強リブは、手前側へ進むに従い前記一側面の側へ向かう傾斜部を有していることを特徴とするスイッチ装置。
【請求項５】
請求項１ないし請求項４のいずれか１項に記載のスイッチ装置において、
前記ケースと、前記スイッチノブとの間に、該スイッチノブを前記軸線方向へ移動可能に係止する係止部が設けられると共に、
前記ケースの外側面と、前記スイッチノブの内側面との間に、該スイッチノブの前記軸線方向への移動を案内する別のガイド部が設けられていることを特徴とするスイッチ装置。
【発明の詳細な説明】
【技術分野】
【０００１】
この発明は、スイッチ装置に関するものである。
【背景技術】
【０００２】
例えば、自動車などの車両には、車室内に各種のスイッチ（スイッチ装置）が設けられている（例えば、特許文献１参照）。
【０００３】
このようなスイッチ装置には、内奥部に光源およびスイッチ接点部を有する角筒状のケースと、ケースの手前側の開口部に設置されて、ケースの軸線方向への移動および透過照明が可能なスイッチノブとを有するものが存在している。
【先行技術文献】
【特許文献】
【０００４】
【特許文献１】特開平０９−３２０３８７
【発明の概要】
【発明が解決しようとする課題】
【０００５】
しかしながら、上記特許文献１に記載されたスイッチ装置は、スイッチノブに一体に取付けた断面略矩形状の可動枠部材をケースへ内嵌して、スイッチノブの押込操作による可動枠部材の移動をケースで案内すると共に、可動枠部材の先端部でスイッチ接点部を押すようにしていたため、ケースに内嵌した可動枠部材が断面略矩形状をしている分だけ、ケースの内部空間が小さくなり、スイッチノブに対する照明範囲が狭くなっていた。
【０００６】
そこで、本発明は、主に、上記した問題点を解決することを目的としている。
【課題を解決するための手段】
【０００７】
上記課題を解決するために、本発明は、
内奥部に光源およびスイッチ接点部を有する角筒状のケースと、
該ケースの手前側の開口部を覆うように設置されて、前記ケースの軸線方向への移動および透過照明が可能なスイッチノブと、
前記ケースの内部に配設されて、前記スイッチノブの前記軸線方向への移動によって前記スイッチ接点部を押すスライド部材と、を有するスイッチ装置であって、
前記スライド部材は、前記スイッチノブから分離されると共に、前記ケースの一側面に沿って延びる本体部と、該本体部の奥部に位置して前記スイッチ接点部を押すスイッチ押圧部と、前記本体部の手前側に位置して前記スイッチノブによって押込まれるノブ当接部とを有し、
該ノブ当接部が、前記スイッチ押圧部に対して、前記ケースの前記一側面寄りにオフセットされていることを特徴とする。
【発明の効果】
【０００８】
本発明によれば、上記構成によって、スイッチノブに対する照明範囲を拡大することなどができる。
【図面の簡単な説明】
【０００９】
【図１】本実施の形態にかかるスイッチ装置を縦半分に切断した斜視図である。
【図２】図１のスイッチ装置の縦断面図である。
【図３】図１のスイッチ装置を側方から見た斜視図である。
【図４】図１のケースを（スイッチノブを取り外して）ケース手前部の側から見た斜視図である。
【図５】図１のスイッチ装置の横断面図である。
【図６】スライド部材を左右反対勝手に設けて奥側から手前側へ向かって見た図５の変形例である。
【図７】図１のスライド部材の斜視図である。
【図８】図３のスライド部材を背面側から見た斜視図である。
【発明を実施するための形態】
【００１０】
以下、本実施の形態を、図面を用いて詳細に説明する。
図１〜図８は、この実施の形態を説明するためのものである。
【実施例１】
【００１１】
＜構成＞以下、この実施例の構成について説明する。
【００１２】
例えば、自動車などの車両には、車室内に各種のスイッチ（スイッチ装置）が設けられている。図１（〜図６）に示すように、このようなスイッチ装置１００を、
内奥部に光源１０１およびスイッチ接点部１０２を有する角筒状のケース１０３と、
ケース１０３の手前側の開口部１０４（図４）を覆うように設置されて、ケース１０３の軸線方向１０５への移動および透過照明が可能なスイッチノブ１０６と、
ケース１０３の内部に配設されて、スイッチノブ１０６の軸線方向１０５への移動によってスイッチ接点部１０２を押すスライド部材１０７と、を有するものとする。
【００１３】
ここで、車室内に設けられるスイッチ装置１００には、例えば、ハザードランプの点灯・消灯を操作するためのハザードスイッチや、エアコンやオーデイオなどのスイッチや、車両の機能をコントロールするためのスイッチなど各種のものが存在している。
【００１４】
光源１０１には、ＬＥＤやその他のものを使用することができる。スイッチ接点部１０２は、タクトスイッチなどの小型の押し釦スイッチやその他のものを使用することができる。タクトスイッチなどのスイッチ接点部１０２は、内部に押込み前の状態に復帰させるための復帰バネを有している。光源１０１およびスイッチ接点部１０２は、基板１０８に取付けた状態で、ケース１０３の奥側の開口部１０９内などに配置することができる。
【００１５】
光源１０１は、基板１０８の幅方向の中央部などに設けられて、ケース１０３の中央部寄りの位置などに配設される。スイッチ接点部１０２は、基板１０８の幅方向の側部などに設けられて、ケース１０３の側面１１１〜１１４（図５または図６）寄りの位置、例えば、一側面１１１寄りの位置などに設けられる。基板１０８の奥側の面には、基板１０８へ電源や信号を送る配線などを接続するためのターミナルとなる部材（ターミナルブロック１１５）が設置されている。
【００１６】
角筒状のケース１０３は、上記したように４つの側面１１１〜１１４を有すると共に、両端部に開口部１０４，１０９を有するものとされている。ケース１０３の軸線方向１０５の中間部には、外方へ張出すフランジ部１１６が設けられる。ケース１０３は、軸線方向１０５の全域に渡って均一な大きさや断面形状などとしても良いが、例えば、フランジ部１１６を境として手前側の部分（ケース手前部１１７）と奥側の部分（ケース奥部１１８）との大きさや断面形状などを変えることもできる。この実施例では、フランジ部１１６の位置に段差部を設けて、ケース手前部１１７をケース奥部１１８よりも大きく形成している。
【００１７】
スイッチノブ１０６は、透明な樹脂でできたキャップ状の部材とすることができる。スイッチノブ１０６は、手前側に押圧面１２１を有し、押圧面１２１の周縁部に奥側へ延びる外周壁部１２２を有している。押圧面１２１には、スイッチ装置１００の操作内容を示す記号や図形や文字などの表示部１２３を形成することができる。そして、塗装などにより、表示部１２３を透光性とし（透過照明部）、その他の部分を遮光性とする（遮光部）ことで、光源１０１を点灯することによって表示部１２３を透過照明する（表示部１２３を光らせる）ことができる。
【００１８】
スイッチノブ１０６の外周壁部１２２よりも内側には、外周壁部１２２と間隔を有して内周壁部１２４が設けられている。内周壁部１２４は、押圧面１２１の裏面側から軸線方向１０５へ向けて一体に延設される。内周壁部１２４は、ケース１０３の手前側の部分（ケース手前部１１７）に外嵌される。なお、内周壁部１２４と外周壁部１２２とは完全に分離させても良いが、一部を連結したり、一部を共通化したりしても良い。内周壁部１２４はフランジ部１１６と、ほぼ同じ外形に形成される。外周壁部１２２はフランジ部１１６よりも大きなものとされる。スイッチノブ１０６の押圧面１２１の裏面側からはスライド部材１０７を押すための押込用突起部１２５が一体に突設される。
【００１９】
スイッチノブ１０６は、ケース１０３に対し、スライド部材１０７がスイッチ接点部１０２を押して止まるまで（またはスイッチ接点部１０２の押込みストロークの分だけ）軸線方向１０５へ移動し得るようになっている。スイッチノブ１０６は、スイッチ接点部１０２内部に設けた復帰バネの弾性復帰力によって初期位置へ復帰させることができる。
【００２０】
スライド部材１０７は、スイッチノブ１０６の押圧操作によってスイッチ接点部１０２を押圧できるのであれば、どのようなものとしても良いが、好ましくは以下のようにする。
【００２１】
（１）スライド部材１０７（図７、図８）は、スイッチノブ１０６から分離されるようにする。スライド部材１０７は、ケース１０３の一側面１１１に沿って延びる本体部１３１と、本体部１３１の奥部に位置してスイッチ接点部１０２を押すスイッチ押圧部１３２と、本体部１３１の手前側に位置してスイッチノブ１０６によって押込まれるノブ当接部１３３とを有するものとされる。
ノブ当接部１３３は、スイッチ押圧部１３２に対して、ケース１０３の一側面１１１寄りにオフセットされる（オフセット量１３４、図２）。
【００２２】
ここで、スライド部材１０７は、ケース１０３とは別部品として形成されて、ケース１０３とは別個に軸線方向１０５へ移動可能にケース１０３内に収容される。
【００２３】
本体部１３１は、ケース１０３の一側面１１１と平行な板状に形成される。
本体部１３１は、ケース手前部１１７とケース奥部１１８との間に跨って設置されている。
【００２４】
スイッチ押圧部１３２は、本体部１３１の奥側の端部に形成された、基板１０８と平行な屈曲部１３５を有する。屈曲部１３５の奥側には、必要に応じて、スイッチ接点部１０２を押すための突起部１３６を設けることができる。屈曲部１３５は、ケース１０３の内方へ向かって屈曲されると共に、スイッチ接点部１０２をほぼ覆い得る大きさや形状に設けられる。この実施例では、屈曲部１３５は面状のものとされている（屈曲面部）。屈曲部１３５や突起部１３６は、スイッチ接点部１０２を直接押すことができる位置に形成される。
【００２５】
ノブ当接部１３３は、本体部１３１の手前側の端部に形成された、一側面１１１側へ向かって屈曲された別の屈曲部１３７を有する。別の屈曲部１３７の手前側には、必要に応じて、別の突起部１３８を設けることができる。別の屈曲部１３７は、本体部１３１に対して部分的に設けることができる。この実施例では、別の屈曲部１３７は、本体部１３１の片側に設けられたブロック状のものとされている（ブロック状部）。このブロック状の別の屈曲部１３７は、ケース手前部１１７とケース奥部１１８との段差形状を利用して、ケース手前部１１７の位置に設けられている。
【００２６】
スライド部材１０７は、奥側の突起部１３６がスイッチ接点部１０２に接触され、手前側の別の突起部１３８が押込用突起部１２５に接触された状態で、スイッチ接点部１０２とスイッチノブ１０６との間に介在されている。
【００２７】
オフセットは、ノブ当接部１３３とスイッチ押圧部１３２との位置が、押圧面１２１の面方向（軸線方向１０５と垂直な方向）にズレていることである。スライド部材１０７のノブ当接部１３３およびスイッチ押圧部１３２は、スライド部材１０７の本体部１３１に関して、面直方向の反対側に配置されることで、本体部１３１と面直な方向にオフセットされている。
【００２８】
（２）ケース１０３と、スライド部材１０７との間には、スライド部材１０７の軸線方向１０５への移動を案内するガイド部１４１を設けるのが好ましい。
ガイド部１４１は、本体部１３１の手前側の部分を案内する第一ガイド１４２と、本体部１３１を案内する第二ガイド１４３（図５）と、を有するのが好ましい。
【００２９】
ここで、ガイド部１４１は、スライド部材用ガイドとしてケース１０３の内部などに設けられる。
【００３０】
図４に示すように、第一ガイド１４２は、別の屈曲部１３７の側面やその反対側に位置する本体部１３１の手前側の側面と、ケース１０３の対向する側面１１２，１１３との間に形成される。第一ガイド１４２は、ケース１０３の対向する側面１１２，１１３に形成された軸線方向１０５へ延びる切込部１４４と、別の屈曲部１３７の側面やその反対側に位置する本体部１３１の手前側の側面から延びて切込部１４４内へ摺動可能に嵌合されるガイドリブ１４５などとすることができる。
【００３１】
図５に示すように、第二ガイド１４３は、本体部１３１の（第一ガイド１４２以外の部分などの）両側面１４６と、ケース１０３の対向する側面１１２，１１３との間に形成される。第二ガイド１４３は、ケース１０３の対向する側面１１２，１１３に形成された軸線方向１０５へ延びるガイドリブ１４７やガイド用の凹溝部などとすることができる。ガイドリブ１４７は、本体部１３１の両側面１４６を挟むように一対設けられ、本体部１３１の両側面１４６を摺動可能に支持する。
【００３２】
第一ガイド１４２のガイドリブ１４５は、ケース１０３の外壁面に達する長さに形成され、第二ガイド１４３となる本体部１３１の両側面１４６は、ケース１０３の内壁面に達しない長さに形成される。第一ガイド１４２と第二ガイド１４３は、両方設けるのが好ましいが、一方のみ（特に、第二ガイド１４３）設けることも構造的には可能である。
【００３３】
（３）ガイド部１４１は、ケース１０３の一側面１１１とスライド部材１０７の対向面との間に第三ガイド１５１を有しても良い。
【００３４】
ここで、スライド部材１０７の対向面は、本体部１３１の一側面１１１側の面のことである。
【００３５】
第三ガイド１５１は、本体部１３１の一側面１１１側の面から突設された軸線方向１０５へ延びるガイドリブ１５２と、ケース１０３の一側面１１１の内面側に形成された軸線方向１０５へ延びるガイド凹部１５３とを有するものなどとしても良い。ガイドリブ１５２は、本体部１３１の一側面１１１側の面の別の屈曲部１３７を避けた幅方向の反対側の位置に、１本または数本設けることができる。ガイド凹部１５３は、ガイドリブ１５２の両側面を挟むように設けられ、ガイドリブ１５２を摺動可能に支持する。なお、上記とは反対に、ガイドリブ１５２をケース１０３に、ガイド凹部１５３を本体部１３１に設けることも可能である。
【００３６】
（４）図７に示すように、スライド部材１０７は、本体部１３１とスイッチ押圧部１３２との間に補強リブ１６１を有するのが好ましい。補強リブ１６１は、手前側へ進むに従い一側面１１１の側へ向かう傾斜部１６２を有するのが好ましい。
【００３７】
ここで、補強リブ１６１は、本体部１３１（のガイドリブ１５２とは反対側の面）とスイッチ押圧部１３２の屈曲部１３５（の手前側の面）との間に跨るように、ケース１０３の中央へ向けて設けられる。補強リブ１６１は、スライド部材１０７の両側部近傍（のガイド凹部１５３の先端部よりも本体部１３１の内側となる位置）に一対設けられる。
【００３８】
傾斜部１６２は、補強リブ１６１の縁部の全域に亘って設けても良い。これによって、補強リブ１６１は三角リブとなる。また、傾斜部１６２は、補強リブ１６１の手前側の縁部に設けて、補強リブ１６１の奥側の縁部を軸線方向１０５と平行に形成しても良い。これによって、補強リブ１６１は台形状のリブとなり、所要の補強効果を保持しつつリブ幅を小さくすることができる。三角リブと台形状のリブは、どちらか一方のみとすることもできるし、適宜組み合わせて設けることもできる。
【００３９】
（５）図１に示すように、ケース１０３と、スイッチノブ１０６との間に、スイッチノブ１０６を軸線方向１０５へ移動可能に係止する係止部１７１が設けられても良い。
図５に示すように、ケース１０３の外側面と、スイッチノブ１０６の内側面との間に、スイッチノブ１０６の軸線方向１０５への移動を案内する別のガイド部１７２が設けられても良い。
【００４０】
ここで、係止部１７１は、ケース手前部１１７とスイッチノブ１０６の内周壁部１２４との間に設けられる。係止部１７１は、ケース手前部１１７に設けられた係止爪１７３と、スイッチノブ１０６の内周壁部１２４に形成された係止穴１７４とを有しても良い。係止穴１７４は、スイッチノブ１０６が軸線方向１０５へ移動できるように、スイッチノブ１０６の移動量と略同じかそれよりも長く軸線方向１０５へ延びる長穴などとされる。スイッチノブ１０６の外周壁部１２２には、係止穴１７４と対向する位置に、係止穴を外部に露出させるための切欠部１７５などを設けても良い。係止部１７１は、ケース１０３の一側面１１１と他側面１１４とに対してそれぞれ設けることができる。
【００４１】
そして、別のガイド部１７２は、スイッチノブ用ガイドとして設けられる。別のガイド部１７２は、スイッチノブ１０６の内周壁部１２４の内面側に設けられた軸線方向１０５へ延びるガイドリブ１７６と、ケース手前部１１７の各側面１１１〜１１４の外側に設けられた軸線方向１０５へ延びるガイド凹部１７７とを有するものなどとしても良い。ガイドリブ１７６は、ガイド凹部１７７に摺動可能に嵌合される。別のガイド部１７２は、矩形状をしたケース１０３の各面に対してそれぞれ設けるのが、押込み時のスイッチノブ１０６の傾きを抑制する上で好ましい。ケース１０３の各面に設けられる別のガイド部１７２は、対向面に設けられる別のガイド部１７２と同じ位置に設けても良いが、互いに位置をズラして設けるのが、スイッチノブ１０６の傾きをより少なくする上で好ましい。なお、上記とは反対に、ガイドリブ１７６をケース１０３に、ガイド凹部１７７を内周壁部１２４に設けることも可能である。
【００４２】
なお、その他の構成として、ケース奥部１１８には、車体側パネルに対して取付けるための係止爪部１８１を設けても良い（図１）。係止爪部１８１は、ケース１０３の一側面１１１と他側面１１４とに対してそれぞれ設けることができる。少なくとも、ケース奥部１１８には、一側面１１１のコーナー部分に一方の係止爪部１８１を取り囲むようにＵ字状のリブ１８２（図３）を形成することができる。Ｕ字状のリブ１８２は、フランジ部１１６を含むように形成するのが好ましい。また、ケース奥部１１８には、他側面１１４のコーナー部分に、Ｃ面状の切欠部１８３（図４）を設けることができる。これらのＵ字状のリブ１８２やＣ面状の切欠部１８３は、ケース１０３の剛性を高めると共に、車体側パネルに対する逆組み（正しい部品の向き違いでの組付け）を防止するために有効である。
【００４３】
＜作用＞以下、この実施例の作用について説明する。
【００４４】
スイッチ装置１００は、スイッチノブ１０６を押すことで、スライド部材１０７を介してスイッチ接点部１０２が押されるようになっている。そして、光源１０１を点灯することにより、スイッチノブ１０６の表示部１２３を透過照明できるようになっている。
【００４５】
＜効果＞この実施例によれば、以下のような効果を得ることができる。
【００４６】
（効果１）スライド部材１０７をケース１０３の一側面１１１に沿って延びる形状にした。これにより、スライド部材１０７の本体部１３１をケース１０３の一側面１１１と平行な板状にできるため、ケース１０３の残りの三面がスライド部材１０７で覆われなくなるので、スイッチノブ１０６に対する照明範囲を拡大することができる。よって、照明範囲を所要の大きさに確保しつつスイッチ装置１００（のスイッチノブ１０６を除いたユニット部分）の小型化を図ることが可能になる。この際、スライド部材１０７の本体部１３１が板状となるので、四角い照明範囲を確保することができる。
【００４７】
スライド部材１０７のノブ当接部１３３を、スイッチ押圧部１３２に対してオフセットさせた。これにより、ノブ当接部１３３が光源１０１からの光の妨げになり難くなるので、照明範囲を更に拡大することができる。
【００４８】
スライド部材１０７を、スイッチノブ１０６から分離した。これにより、スライド部材１０７の機能をスイッチ接点部１０２の操作のみに特化できる。よって、スライド部材１０７を簡略化できる。
【００４９】
スイッチノブ１０６からスライド部材１０７を分離したことで、スイッチノブ１０６とケース１０３とが一対一の関係になり、スライド部材１０７を考慮する必要がなくなるため、スイッチノブ１０６とケース１０３との間のガタつき精度の設定や調整が容易になる。また、スイッチノブ１０６からスライド部材１０７を分離したことで、スイッチ装置１００は、スイッチノブ１０６を最後に組み立てられるようになる。また、スイッチノブ１０６が付いていないスイッチ装置１００（スイッチ装置１００のユニット部分）を予め製造しておき、このユニット部分に仕様違いのスイッチノブ１０６を組み付けることで、様々なスイッチ装置１００を作り分けることなどが可能になる。
【００５０】
（効果２）スライド部材１０７のためのガイド部１４１を第一ガイド１４２と第二ガイド１４３に分けて設けても良い。これにより、ガイド部１４１全体のガイド長を長くして、スライド部材１０７の傾きを抑制することができる。
【００５１】
ノブ当接部１３３とスイッチ押圧部１３２とがオフセットされているスライド部材１０７は、スイッチノブ１０６を押す力の偏り（偏荷重）によって面外方向などへの倒れが生じるおそれがあるが、ガイド部１４１を第一ガイド１４２と第二ガイド１４３に分けてスライド部材１０７の傾きを抑制することで、偏荷重によるスライド部材１０７の倒れを防止できる。よって、スイッチノブ１０６のスタック（引っかかって動き難く成ること）や、スイッチ接点部１０２に対するスイッチ押圧部１３２の位置ズレを防止できる。
【００５２】
ガイド部１４１を第一ガイド１４２と第二ガイド１４３に分けたことで、スライド部材１０７やガイド部１４１のレイアウトの自由度を向上することができる。
【００５３】
（効果３）ガイド部１４１は、ケース１０３の一側面１１１とスライド部材１０７の対向面との間に第三ガイド１５１を有しても良い。これにより、スライド部材１０７の横倒れを防止することができる。
【００５４】
（効果４）スライド部材１０７は、本体部１３１とスイッチ押圧部１３２との間に補強リブ１６１を有しても良い。これにより、スライド部材１０７の本体部１３１に対してスイッチ押圧部１３２を補強することができる。そのため、スイッチ押圧部１３２をオフセットさせて設けても、スイッチ押圧部１３２で支障なくスイッチ接点部１０２を押すことができる。
【００５５】
補強リブ１６１は、手前側へ進むに従いケース１０３の一側面１１１の側へ向かう傾斜部１６２を有しても良い。これにより、補強リブ１６１が光源１０１からの光の妨げになるのを傾斜部１６２で回避し、照明範囲が狭まるのを防止できる。
【００５６】
（効果５）ケース１０３とスイッチノブ１０６との間に係止部１７１を設けても良い。これにより、係止部１７１によって簡単にケース１０３にスイッチノブ１０６を係止させることができると共に、スイッチノブ１０６の着脱が容易になる。よって、スイッチノブ１０６のリペアや差し替えなどをやり易くできる。
【００５７】
ケース１０３の外側面とスイッチノブ１０６の内側面との間に別のガイド部１７２を設けても良い。これにより、スイッチノブ１０６の押し込みを案内するための別のガイド部１７２を、ケース１０３の内側からなくせるので、その分、照明範囲を拡大することができる。よって、スイッチ装置１００（のユニット部分）の小型化を図ることができる。
【００５８】
ケース１０３の外側面にスイッチノブ１０６を案内するための別のガイド部１７２を設けたことで、別のガイド部１７２への潤滑油の塗布が容易になると共に、別のガイド部１７２への潤滑油の塗布を最後の段階（スイッチノブ１０６を取付ける時）で行うことができる。
【００５９】
別のガイド部１７２がスイッチノブ１０６の内側面に存在することで、スイッチノブ１０６に塗装によって表示部１２３などを形成する際に、スイッチノブ１０６にマスキングを行う必要をなくすことができる。
【符号の説明】
【００６０】
１００    スイッチ装置
１０１    光源
１０２    スイッチ接点部
１０３    ケース
１０４    開口部
１０５    軸線方向
１０６    スイッチノブ
１０７    スライド部材
１１１    一側面
１３１    本体部
１３２    スイッチ押圧部
１３３    ノブ当接部
１４１    ガイド部
１４２    第一ガイド
１４３    第二ガイド
１５１    第三ガイド
１６１    補強リブ
１６２    傾斜部
１７１    係止部
１７２    別のガイド部
【図１】
2020021534.tif 000003
【図２】
2020021534.tif 000004
【図３】
2020021534.tif 000005
【図４】
2020021534.tif 000006
【図５】
2020021534.tif 000007
【図６】
2020021534.tif 000008
【図７】
2020021534.tif 000009
【図８】
2020021534.tif 000010
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
内奥部に光源およびスイッチ接点部を有する角筒状のケースと、
該ケースの手前側の開口部を覆うように設置されて、前記ケースの軸線方向への移動および透過照明が可能なスイッチノブと、
前記ケースの内部で前記スイッチノブから分離されて配設されて、前記スイッチノブの前記軸線方向への移動によって前記スイッチ接点部を押すスライド部材と、を有するスイッチ装置であって、
前記スライド部材は、
前記ケースの一側面に沿って延びる板状の本体部と、
該本体部の奥部から前記ケースの内方に向かって屈曲して、前記スイッチ接点部を押すスイッチ押圧部と、
前記本体部の手前側で前記スイッチ押圧部に対して前記一側面寄りにオフセットした位置で前記スイッチノブによって押込まれるノブ当接部と、を有し、
前記光源および前記スイッチ接点部は同一基板面上に設けられ、前記スイッチ接点部は、前記光源に対し前記一側面寄りに位置し、
前記開口部から見たときに、前記光源から前記一側面に向かい、前記光源、前記スイッチ押圧部、前記ノブ当接部の順に配置されることを特徴とするスイッチ装置。
【請求項２】
請求項１に記載のスイッチ装置において、
前記ノブ当接部は、前記本体部から前記一側面側へ向って屈曲しており、
前記ケースと、前記スライド部材との間に、該スライド部材の前記軸線方向への移動を案内するガイド部が設けられると共に、
該ガイド部は、前記ノブ当接部の側面を案内する第一ガイドと、前記本体部の側面を案内する第二ガイドと、を有していることを特徴とするスイッチ装置。
【請求項３】
請求項２に記載のスイッチ装置において、
前記ガイド部が、前記ケースの前記一側面と前記スライド部材の対向面との間に第三ガイドを有していることを特徴とするスイッチ装置。
【請求項４】
請求項１ないし請求項３のいずれか１項に記載のスイッチ装置において、
前記スライド部材は、前記本体部と前記スイッチ押圧部との間に補強リブを有し、該補強リブは、手前側へ進むに従い前記一側面の側へ向かう傾斜部を有していることを特徴とするスイッチ装置。
【請求項５】
請求項１ないし請求項４のいずれか１項に記載のスイッチ装置において、
前記ケースと、前記スイッチノブとの間に、該スイッチノブを前記軸線方向へ移動可能に係止する係止部が設けられると共に、
前記ケースの外側面と、前記スイッチノブの内側面との間に、該スイッチノブの前記軸線方向への移動を案内する別のガイド部が設けられていることを特徴とするスイッチ装置。
【手続補正２】
【補正対象書類名】明細書
【補正対象項目名】０００７
【補正方法】変更
【補正の内容】
【０００７】
上記課題を解決するために、本発明は、
内奥部に光源およびスイッチ接点部を有する角筒状のケースと、
該ケースの手前側の開口部を覆うように設置されて、前記ケースの軸線方向への移動および透過照明が可能なスイッチノブと、
前記ケースの内部で前記スイッチノブから分離されて配設されて、前記スイッチノブの前記軸線方向への移動によって前記スイッチ接点部を押すスライド部材と、を有するスイッチ装置であって、
前記スライド部材は、
前記ケースの一側面に沿って延びる板状の本体部と、
該本体部の奥部から前記ケースの内方に向かって屈曲して、前記スイッチ接点部を押すスイッチ押圧部と、
前記本体部の手前側で前記スイッチ押圧部に対して前記一側面寄りにオフセットした位置で前記スイッチノブによって押込まれるノブ当接部と、を有し、
前記光源および前記スイッチ接点部は同一基板面上に設けられ、前記スイッチ接点部は、前記光源に対し前記一側面寄りに位置し、
前記開口部から見たときに、前記光源から前記一側面に向かい、前記光源、前記スイッチ押圧部、前記ノブ当接部の順に配置されることを特徴とする。